(57)【特許請求の範囲】
【請求項１】
放送される番組エントリが配置された番組チャネルと記憶装置に記憶されたコンテンツエントリが配置されたコンテンツチャネルとを並列に配置した電子番組表を表示する表示工程と、
前記表示工程で表示された前記電子番組表からユーザに選択された番組エントリを取得する取得工程と、
前記取得された番組エントリの番組情報から抽出される複数のキーワードのリストを前記取得された番組エントリの近傍に表示するリスト表示工程と、
前記リストからユーザに選択されたキーワードに基づいて、変更後のコンテンツチャネルに配置されるコンテンツエントリを決定する決定工程と、
前記決定されたコンテンツエントリに基づいて、前記コンテンツチャネルに配置されるコンテンツエントリを変更すると共に、前記コンテンツチャネルの表示位置を前記取得された番組エントリに隣接する位置に変更する変更工程とを有することを特徴とする電子番組表の表示方法。
【請求項２】
変更後のコンテンツチャネルに、前記選択されたキーワードを付加する工程をさらに有することを特徴とする請求項１に記載の電子番組表の表示方法。
【請求項３】
請求項１に記載の電子番組表の表示方法の各工程をコンピュータに実行させるためのプログラム。
【請求項４】
放送される番組エントリが配置された番組チャネルと記憶装置に記憶されたコンテンツエントリが配置されたコンテンツチャネルとを並列に配置した電子番組表を表示する表示手段と、
表示された前記電子番組表からユーザに選択された番組エントリを取得する取得手段と、
前記取得された番組エントリの番組情報から抽出される複数のキーワードのリストを前記取得された番組エントリの近傍に表示するリスト表示手段と、
前記リストからユーザに選択されたキーワードに基づいて、変更後のコンテンツチャネルに配置されるコンテンツエントリを決定する決定手段と、
前記決定されたコンテンツエントリに基づいて、前記コンテンツチャネルに配置されるコンテンツエントリを変更すると共に、前記コンテンツチャネルの表示位置を前記取得された番組エントリに隣接する位置に変更する変更手段とを備えることを特徴とする電子番組表の表示装置。
【発明の詳細な説明】
【技術分野】
【０００１】
本発明は、電子番組表上のコンテンツチャネルを動的に変更して表示する電子番組表の表示方法、プログラム及び電子番組表の表示装置に関するものである。
【背景技術】
【０００２】
従来、ハードディスクレコーダのような記憶装置又はネットワーク上の記憶装置に蓄積されているコンテンツを電子番組表に合成することで、放送番組チャネルとコンテンツチャネルとを同一画面で表示する技術が開示されている（例えば、特許文献１参照）。特許文献１に開示された技術は、記録番組から構成されるコンテンツチャネル（プライベートチャネル）と放送番組チャネルとを電子番組表として同一画面で表示する。そして、ユーザが電子番組表に対して操作することで、これらの視聴を行うことができる。
【０００３】
【特許文献１】特開２０００−２９５５５８号公報
【発明の開示】
【発明が解決しようとする課題】
【０００４】
しかしながら、上述した従来技術では、電子番組表上に合成して表示されたコンテンツチャネルは自動的に生成され、生成されたコンテンツチャネルを変更することができない。したがって、ユーザの意図を反映したコンテンツチャネルを生成することができないという問題がある。
本発明は上述したような問題点に鑑みてなされたものであり、コンテンツチャネルを動的に変更できるようにすることで、ユーザの意図に応じたコンテンツチャネルを生成できるようにすることを目的とする。
【課題を解決するための手段】
【０００５】
本発明は、放送される番組エントリが配置された番組チャネルと記憶装置に記憶されたコンテンツエントリが配置されたコンテンツチャネルとを並列に配置した電子番組表を表示する表示工程と、前記表示工程で表示された前記電子番組表からユーザに選択された番組エントリを取得する取得工程と、前記取得された番組エントリの番組情報から抽出される複数のキーワードのリストを前記取得された番組エントリの近傍に表示するリスト表示工程と、前記リストからユーザに選択されたキーワードに基づいて、変更後のコンテンツチャネルに配置されるコンテンツエントリを決定する決定工程と、前記決定されたコンテンツエントリに基づいて、前記コンテンツチャネルに配置されるコンテンツエントリを変更すると共に、前記コンテンツチャネルの表示位置を前記取得された番組エントリに隣接する位置に変更する変更工程とを有することを特徴とする。
本発明は、放送される番組エントリが配置された番組チャネルと記憶装置に記憶されたコンテンツエントリが配置されたコンテンツチャネルとを並列に配置した電子番組表を表示する表示手段と、表示された前記電子番組表からユーザに選択された番組エントリを取得する取得手段と、前記取得された番組エントリの番組情報から抽出される複数のキーワードのリストを前記取得された番組エントリの近傍に表示するリスト表示手段と、前記リストからユーザに選択されたキーワードに基づいて、変更後のコンテンツチャネルに配置されるコンテンツエントリを決定する決定手段と、前記決定されたコンテンツエントリに基づいて、前記コンテンツチャネルに配置されるコンテンツエントリを変更すると共に、前記コンテンツチャネルの表示位置を前記取得された番組エントリに隣接する位置に変更する変更手段とを備えることを特徴とする。
【発明の効果】
【０００６】
本発明によれば、コンテンツチャネルを動的に変更できるようにすることで、ユーザの意図に応じたコンテンツチャネルを生成することができる。
【発明を実施するための最良の形態】
【０００７】
以下、本発明の実施形態について図面を参照して詳細に説明する。
（第１の実施形態）
図１は、本実施形態に係る表示処理装置を含む表示システムの構成の一例を示す図である。表示システム１０は、表示処理装置（以下、番組表示装置という）１００と、表示装置１０１と、操作入力装置１０２とを含んで構成されている。
【０００８】
番組表示装置１００は、テレビジョン放送番組及び各種コンテンツを、表示装置１０１を介して表示する処理を行う。
番組表示装置１００には、回線１０３を介して放送番組の映像、放送番組の音声及び放送番組に関する情報（番組情報）が入力される。番組表示装置１００は、入力された放送番組の映像等を、番組表示装置１００に設けられたメモリに録画（記憶）したり、デコード処理等をして表示装置１０１に出力したりすることができる。なお、回線１０３は、テレビジョン放送回線又はインターネットのようなネットワーク回線等、放送番組の映像等を受信できる回線であればどのような回線であってもよい。
【０００９】
また、番組表示装置１００には、回線１０４を介して図示しない記憶媒体に蓄積されたコンテンツ及びコンテンツに関する情報（コンテンツ情報）が入力される。番組表示装置１００は、入力されたコンテンツをコンテンツデコード処理して表示装置１０１に出力することができる。なお、回線１０４は、ハードディスクレコーダのような記録装置から信号回線又はネットワーク上の記録装置からのネットワーク回線等であって、コンテンツ等を受信できる回線であればどのような回線であってもよい。
【００１０】
表示装置１０１は、液晶ディスプレイ等であり、放送番組の映像、コンテンツ及び後述する電子番組表等を表示する。
操作入力装置１０２は、ユーザが番組表示装置１００に対して電子番組表の表示等を遠隔で指示することができるリモートコントローラである。
【００１１】
次に、番組表示装置１００の構成について図２を参照して説明する。図２は、番組表示装置のハードウェア構成の一例を示す図である。
番組表示装置１００は、ＣＰＵ５０１と、メモリ５０２と、入力装置５０３と、通信装置５０４とを含んで構成されている。ＣＰＵ５０１は、番組表示装置１００全体を制御する。メモリ５０２は、後述する番組表示装置１００の機能構成を実現させるためのプログラムや、番組情報及びコンテンツ情報等が記憶される。なお、メモリ５０２に、放送番組の映像、放送番組の音声及びコンテンツ自体が記憶されていてもよい。入力装置５０３は、ユーザが上述した操作入力装置１０２を用いなくても、番組表示装置１００に対して直接、指示できるように構成されている。通信装置５０４は、例えばネットワークインターフェース、赤外線インターフェース及びディスプレイインターフェース等を含んでいる。通信装置５０４では、放送番組の映像、放送番組の音声、番組情報、コンテンツ及びコンテンツ情報等を送受信したり、操作入力装置１０２からの指示情報を受信したり、電子番組表の画像データを表示装置１０１に送信したりする。また、番組表示装置１００には、図示しない描画回路等を設けてもよい。番組表示装置１００の各構成は、バス５０５によって接続されている。
【００１２】
次に、番組表示装置１００の機能構成について図３を参照して説明する。図３は、番組表示装置の機能構成の一例を示す図である。
番組表示装置１００は、番組情報取得部２０１と、コンテンツ情報取得部２０２と、表示出力部２０３と、操作取得部２０４と、キーワードリスト作成部２０５と、画像生成部２０６と、表示切替部２２２と、操作解析部２２３とを備えている。また、番組表示装置１００は、ＴＶデコーダ２２０と、コンテンツデコーダ２２１とを備えている。図３に示す機能構成は、番組表示装置１００のメモリ５０２に記憶されたプログラムをＣＰＵ５０１が実行することにより実現される。ＣＰＵ５０１が実行するプログラムには、例えばデータ取得機能、データ保持機能、画像処理機能及び描画処理機能等が含まれている。なお、各機能構成は、ハードウェアとソフトウェアとの組み合わせにより、様々な形態で実現できる。
【００１３】
番組情報取得部２０１は、回線１０３を介して放送番組の映像、放送番組の音声及び番組情報を取得する。番組情報取得部２０１は、取得した番組情報を番組表示装置１００のメモリ５０２に記憶することができる。なお、番組情報取得部２０１が取得した放送番組の映像や放送番組の音声は、ＴＶデコーダ２２０が処理した後、表示出力部２０３が表示装置１０１に出力することができる。ここで、番組情報とは、放送番組に関する情報であって、例えば、番組名情報、放送される時刻情報、ジャンル情報、チャネル名（放送局名）情報、出演者の情報等が含まれる。ここで、ジャンル情報とは、ニュース、映画、スポーツ、ドラマ等の情報である。
【００１４】
コンテンツ情報取得部２０２は、回線１０４に接続された記憶媒体に蓄積されたコンテンツ及びコンテンツ情報を取得する。コンテンツ情報取得部２０２は、取得したコンテンツ情報を番組表示装置１００のメモリ５０２に記憶することができる。なお、コンテンツ情報取得部２０２が取得したコンテンツは、コンテンツデコーダ２２１が処理した後、表示出力部２０３が表示装置１０１に出力することができる。ここで、コンテンツ情報とは、コンテンツに関する情報であって、例えば、コンテンツ名情報、コンテンツの映像時間情報、ジャンル情報、出演者の情報等が含まれる。なお、コンテンツが放送番組を記憶したものである場合、コンテンツ情報には、放送されたチャネル名（放送局名）情報を含んでいてもよい。ここで、ジャンル情報とは、ニュース、映画、スポーツ、ドラマ等の情報である。
【００１５】
表示出力部２０３は、放送番組、コンテンツ及び電子番組表を表示装置１０１に出力する。
操作取得部２０４は、放送番組、コンテンツ及び電子番組表に対して、ユーザが操作入力装置１０２又は入力装置５０３を介して行った各種操作指示を取得する。ここで、取得された各種操作指示は、操作解析部２２３によって解析され、指示内容が表示切替部２２２及び画像生成部２０６に伝達される。なお、操作取得部２０４が取得する操作指示は、無線又は有線の何れであってもよい。
【００１６】
画像生成部２０６は、番組情報取得部２０１及びコンテンツ情報取得部２０２が取得した情報に基づいて電子番組表の画像（電子番組表画像）を生成する。ここで、画像生成部２０６において生成され、表示出力部２０３によって出力される電子番組表画像の一例を図４に示す。図４に示すように、電子番組表画像３００は、放送局名３０３、放送時刻３０５、番組エントリ（番組枠）３０４からなる放送局チャネル（番組チャネル）３０１等の情報を含んでいる。番組チャネル３０１は、複数ある放送局名３０３毎に、番組エントリが放送時刻順に上下方向に配置されている。
また、電子番組表画像３００は、コンテンツチャネル名３０６、コンテンツエントリ（コンテンツ枠）３０７からなるコンテンツチャネル３０２等の情報を含んでいる。コンテンツチャネル３０２は、コンテンツエントリが放送時刻順に上下方向に配置されている。そして、図４に示す電子番組表画像３００には、番組チャネル３０１とコンテンツチャネル３０２とが並列して配置されている。
【００１７】
画像生成部２０６は、操作取得部２０４が取得した操作指示のうちコンテンツチャネルのコンテンツエントリの変更指示である場合、その変更指示に応じて、図４に示すコンテンツチャネル３０２のコンテンツエントリを動的に変更した電子番組表画像を生成する。
【００１８】
次に、番組表示装置１００に対して操作指示を行うことができる入力装置について図５を参照して説明する。ここでは、入力装置として、ユーザが番組表示装置１００に対して遠隔で指示することができる操作入力装置１０２を例にして説明する。図５は、操作入力装置の外観構成の一例を示す図である。操作入力装置１０２は、コンテンツチャネル削除ボタン４０１、コンテンツチャネルコピーボタン４０２、コンテンツチャネル作成ボタン４０３を備えている。また、操作入力装置１０２は、左ボタン４０４、右ボタン４０５、上ボタン４０６、決定ボタン４０７、下ボタン４０８、取消ボタン４０９、電子番組表表示ボタン４１０等の操作ボタンを備えている。
【００１９】
ユーザが左ボタン４０４、右ボタン４０５、上ボタン４０６、下ボタン４０８を押下することで、電子番組表に表示されたフォーカスが移動して、電子番組表上の番組エントリ３０４又はコンテンツエントリ３０７の変更指示を行うことができる。ここで、フォーカスとは電子番組表上において、ユーザが変更指示を行った番組エントリ又はコンテンツエントリを識別する表示のことである。操作取得部２０４が変更指示を取得することにより、画像生成部２０６は、変更指示が行われた番組エントリ又はコンテンツエントリにフォーカスを生成する。ユーザは、任意の番組エントリ３０４にフォーカスを変更指示し、決定ボタン４０７を押下することで、コンテンツチャネルの変更指示を行うことができる。また、ユーザが電子番組表表示ボタン４１０を押下することで、表示出力部２０３は、画像生成部２０６が生成した電子番組表を表示装置１０１に出力する。また、表示出力部２０３が電子番組表を出力した状態で、再度ユーザが電子番組表表示ボタン４１０を押下するか、取消ボタン４０９を押下することで、表示出力部２０３は、電子番組表の出力を停止する。
【００２０】
図３に戻り、キーワードリスト作成部２０５は、コンテンツチャネルを変更するときにユーザに提供するキーワードリストを作成する。キーワードリスト作成部２０５は、キーワードリストに用いるキーワードのキーワード情報を、番組情報及びコンテンツ情報から取得する。なお、キーワードリスト作成部２０５は、予め番組表示装置１００に登録されているキーワード情報やユーザが追加して登録したキーワード情報を用いてキーワードを作成してもよい。キーワードリストを作成するとき、キーワードリスト作成部２０５は、キーワードに優先付けを行ってキーワードリストを作成する。キーワードの優先付けは、ユーザが電子番組表上においてフォーカスされている番組エントリの番組情報に一致するキーワードを上位にしたり、予め登録された登録情報又はユーザが追加した登録情報に一致するキーワードを上位にしたりする。なお、上述した画像生成部２０６は、キーワードリスト作成部２０５が作成したキーワードリストと電子番組表とを合成して、画像を生成する。
【００２１】
次に、コンテンツチャネルを変更するときの電子番組表画像を生成する処理について、図６に示すフローチャートを参照して説明する。
まず、ステップＳ１０において、ユーザが操作入力装置１０２の決定ボタン４０７を押下することで、操作取得部２０４は、コンテンツチャネルのコンテンツエントリの変更指示を取得する（変更指示取得）。更に、操作取得部２０４は、電子番組表上においてフォーカスされている番組エントリ３０４、すなわち選択されている番組エントリ３０４を取得する（フォーカス取得）。
【００２２】
次に、ステップＳ１１において、キーワードリスト作成部２０５は、フォーカスされている番組エントリ３０４の番組情報をキーワードとして抽出する。ここで、キーワードとして抽出される番組情報は、番組情報取得部２０１が取得し、メモリ５０２に記憶したものである。
なお、キーワードリスト作成部２０５は、予め登録された登録情報をキーワードとして抽出したり、記憶媒体に記憶されたコンテンツのコンテンツ情報をキーワードとして抽出したりしてもよい。なお、コンテンツ情報をキーワードとして抽出する場合、抽出されるコンテンツ情報は、コンテンツ情報取得部２０２が取得し、メモリ５０２に記憶したものである。
【００２３】
ステップＳ１２において、キーワードリスト作成部２０５は、抽出したキーワードに対して優先付けを行い、キーワードリストを作成する。このとき、キーワードリスト作成部２０５は、優先付けが高いキーワードを上位にしてキーワードをキーワードリストに配置する。
次に、ステップＳ１３において、画像生成部２０６は、キーワードリスト作成部２０５が作成したキーワードリストと電子番組表とを合成した画像を生成する。画像生成部２０６において生成したキーワードリストと電子番組表とを合成した画像は、表示出力部２０３が表示装置１０１の画面に出力する。
【００２４】
ここで、電子番組表画像の遷移の一例を示す図７を参照して、キーワードリストと電子番組表とを合成した画像を表示した画面の一例について説明する。図７のうち図７（ａ）は、キーワードリストと電子番組表とを合成した画像を表示した画面の一例を示す図である。図７（ａ）では、上述したフォーカスを、番組エントリ又はコンテンツエントリを太枠で囲むことにより示している。なお、フォーカスは、ユーザが番組エントリ又はコンテンツエントリの選択を識別できる表示であればよく、選択された番組エントリ又はコンテンツエントリの色を変更するようにしてもよい。
【００２５】
図７（ａ）に示す電子番組表では、操作取得部２０４は、フォーカスされた放送局名「Ｃｈ２」の番組エントリ『Ｍｏｖｉｅ「宇宙の旅」』６０２を取得する。キーワードリスト作成部２０５は、フォーカスされている番組エントリ６０２の番組情報等に基づいて、『Ｍｏｖｉｅ』、『ＳＦ』、『旅行』、『Ｃｈ２』等のキーワードを抽出し、一次元で配列したキーワードリスト６０１を作成している。また、画像生成部２０６は、図７（ａ）に示すようにフォーカスされた番組エントリ６０２と隣接する位置にキーワードリスト６０１を合成して画像を生成している。ここでは、キーワードリスト６０１を番組エントリ６０２に隣接させて画像を生成したが、番組エントリの近傍に配置されていれば、どのような位置であってもよい。なお、近傍とは、キーワードリストが番組エントリの番組枠に重なって配置される場合、番組エントリの番組枠の上下左右の何れかに隣り合って配置される場合、及び番組エントリの番組枠の左上、左下、右上、右下の何れかに近接して配置される場合等をいう。
【００２６】
次に、ステップＳ１４において、操作取得部２０４は、表示装置１０１の画面に出力されたキーワードリストからユーザが操作入力装置１０２を介して選択指示したキーワードを取得する（選択指示取得）。
次に、ステップＳ１５において、コンテンツ情報取得部２０２は、操作取得部２０４が取得したキーワードに基づいて、キーワードに関連するコンテンツ情報を取得する。
次に、ステップＳ１６において、画像生成部２０６は、コンテンツ情報取得部２０２がステップＳ１５において取得したコンテンツ情報に基づいて、コンテンツエントリを変更して、新たなコンテンツチャネルの画像を生成する。さらに、画像生成部２０６は、新たに生成したコンテンツチャネルの画像を用いて、新しい電子番組表画像を生成する。
【００２７】
次に、ステップＳ１７において、表示出力部２０３は、画像生成部２０６がステップＳ１６において生成した電子番組表画像を表示装置１０１に出力する。
ここで、図７（ｂ）に、図７（ａ）に示す電子番組表から、新たに生成されたコンテンツチャネルの画像を用いて、生成された電子番組表の画像の一例を示す。図７（ｂ）では、図７（ａ）において、生成されたキーワードリスト６０１において、ユーザが『旅行』のキーワードを選択指示したものとする。
【００２８】
図７（ｂ）に示すように、画像生成部２０６は、コンテンツエントリのうちコンテンツ情報を「旅行」とする『Ｐｉｃｔｕｒｅ「遠足」』、『Ｖｉｄｅｏ「修学旅行」』等を新たなコンテンツエントリとして配置したコンテンツチャネル６０３を生成する。このとき、画像生成部２０６は、図７（ｂ）に示すように、コンテンツチャネルを変更したときに用いたキーワード『旅行』をチャネル識別子としてコンテンツチャネル名６０４に付加し、電子番組表画像を生成する。
【００２９】
このように本実施形態によれば、番組表示装置は、電子番組表上のコンテンツチャネルのコンテンツエントリをユーザの意図を反映して動的に変更することができる。
また、コンテンツチャネルのコンテンツエントリを変更するとき、番組表示装置が作成するキーワードリストからキーワードを選択指示し、選択指示したキーワードに関連したコンテンツエントリで配置されたコンテンツチャネルに変更できる。したがって、ユーザは視聴したいコンテンツチャネルに簡単に変更することができる。また、キーワードリストに表示されるキーワードをユーザが登録したり、キーワードに優先付けを行ったりすることができるので、ユーザの意図をより反映したコンテンツチャネルに変更することができる。
【００３０】
なお、上述した説明では、キーワードリスト作成部２０５は、キーワードリストを上下方向に一次元で配置して作成する場合についてのみ説明したが、この場合に限られない。例えば、キーワードリスト作成部２０５は、キーワードリストを表示画面の左右方向に一次元で配置してもよく、二次元のマトリックスで配置してもよく、単にキーワード１つのみを配置して切り替え表示してもよい。
【００３１】
また、操作取得部２０４がユーザによる操作入力装置１０２のコンテンツチャネルコピーボタン４０２の操作情報を取得（操作取得）することにより、画像生成部２０６は、変更されたコンテンツチャネルを電子番組表上に複製した画像を生成する。また、操作取得部２０４がユーザによる操作入力装置１０２のコンテンツチャネル削除ボタン４０１の操作情報を取得することにより、画像生成部２０６は、電子番組表からコンテンツチャネルを削除した画像を生成する。また、コンテンツチャネルが電子番組表上に存在しないとき、操作取得部２０４がユーザによる操作入力装置１０２のコンテンツチャネル作成ボタン４０３の操作情報を取得することにより、画像生成部２０６は、コンテンツチャネルを生成する。このとき、電子番組表画像を生成する動作処理は上述した図６に示すフローチャートと同様である。
【００３２】
（第２の実施形態）
次に、第２の実施形態に係る番組表示装置が電子番組画像を生成する処理について図８を参照して説明する。図８は、電子番組表画像の遷移の一例を示す図である。
ここで、第１の実施形態に係る番組表示装置１００の画像生成部２０６は、コンテンツチャネルを変更して電子番組表画像を生成するとき、コンテンツチャネルのコンテンツエントリを変更して生成した。一方、本実施形態に係る画像生成部２０６は、コンテンツエントリの変更に加え、電子番組表上においてコンテンツチャネルの配置も変更する。すなわち、本実施形態では、コンテンツチャネルのコンテンツエントリの変更指示に、コンテンツチャネルの配置の変更指示が伴うものである。
【００３３】
図８のうち図８（ａ）は、キーワードリストと電子番組表とを合成した画像を表示した画面の一例を示す図である。図８（ａ）に示す電子番組表では、操作取得部２０４は、フォーカスされた放送局名「Ｃｈ１」の番組エントリ『Ｓｐｏｒｔｓ「全英テニス」』７０２を取得する。キーワードリスト作成部２０５は、フォーカスされている番組エントリ７０２の番組情報等に基づいて、『Ｓｐｏｒｔｓ』、『テニス』、『Ｃｈ２』、『イギリス』等のキーワードを抽出し、キーワードリスト７０１を作成している。また、画像生成部２０６は、図８（ａ）に示すようにフォーカスされた番組エントリ７０２と隣接する位置にキーワードリスト７０１を合成して画像を生成している。
【００３４】
次に、図８（ｂ）に、図８（ａ）に示す電子番組表から、新たに生成されたコンテンツチャネルの画像を用いて、生成された電子番組表の画像の一例を示す。図８（ｂ）では、図８（ａ）において、生成されたキーワードリスト７０１において、ユーザが『Ｓｐｏｒｔｓ』のキーワードを選択指示したものとする。
図８（ｂ）に示すように、画像生成部２０６は、コンテンツ情報を「Ｓｐｏｒｔｓ」とする『アニメ「野球の王子様」』、『Ｐｉｃｔｕｒｅ＆Ｖｉｄｅｏ「運動会」』等を新たなコンテンツエントリとして配置したコンテンツチャネル７０３を生成する。このとき、画像生成部２０６は、生成したコンテンツチャネル７０３の位置を、ユーザがフォーカスしている番組エントリ７０２を含む番組チャネルの隣に並列させて配置する。
【００３５】
このように、本実施形態によれば、番組表示装置は変更したコンテンツチャネルを、ユーザによってフォーカスされている番組エントリを含む番組チャネルの隣に並列させて配置した。したがって、ユーザは、直ぐにコンテンツチャネルを見つけることができる。なお、コンテンツチャネルを、ユーザによってフォーカスされている番組エントリを含む番組チャネルの隣に並列させる場合に限られず、フォーカスされている番組エントリの近傍に配置されていれば、どのような位置であってもよい。なお、近傍とは、コンテンツチャネルが番組チャネルの左右の何れかに隣り合って配置される場合、他の番組チャネルが間に１つ介在された状態で配置される場合等をいう。
【００３６】
なお、本実施形態では、コンテンツチャネルのコンテンツエントリの変更指示に、コンテンツチャネルの配置の変更指示が伴う場合についてのみ説明したが、コンテンツチャネルの配置の変更指示のみを行うようにしてもよい。この場合、画像生成部は、コンテンツチャネルの位置を、例えば、フォーカスされた番組エントリを含む番組チャネルの隣に並列させて配置する。
【００３７】
このように、上述した実施形態によれば、コンテンツチャネルに配置されたコンテンツエントリを動的に変更できるようにすることで、ユーザの意図に応じたコンテンツチャネルを生成することができる。
【００３８】
上述した本発明の実施形態における表示処理装置を構成する各手段、並びに表示処理方法の各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００３９】
また、本発明は、例えば、システム、装置、方法、プログラムもしくは記録媒体等としての実施形態も可能であり、具体的には、一つの機器からなる装置に適用してもよい。
【００４０】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００４１】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００４２】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００４３】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００４４】
【図１】表示システムの構成の一例を示す図である。
【図２】番組表示装置のハードウェア構成の一例を示す図である。
【図３】番組表示装置の機能構成の一例を示す図である。
【図４】電子番組表画像の一例を示す図である。
【図５】操作入力装置の外観構成の一例を示す図である。
【図６】電子番組表画像を生成する処理動作の一例を示すフローチャートである。
【図７】第１の実施形態に係る電子番組表画像の遷移の一例を示す図である。
【図８】第２の実施形態に係る電子番組表画像の遷移の一例を示す図である。
【符号の説明】
【００４５】
１００       番組表示装置
１０１       表示装置
１０２       操作入力装置
１０３       回線
１０４       回線
２０１       番組情報取得部
２０２       コンテンツ情報取得部
２０３       表示出力部
２０４       操作取得部
２０５       キーワードリスト作成部
２０６       画像生成部
２２０       ＴＶデコーダ
２２１       コンテンツデコーダ
２２２       表示切替部
２２３       操作解析部
３００       表示画面
３０１       番組チャネル
３０２       コンテンツチャネル
３０３       放送局名
３０４       番組エントリ
３０５       時刻
３０６       コンテンツチャネル名
３０７       コンテンツエントリ
４０１       コンテンツチャネル削除ボタン
４０２       コンテンツチャネルコピーボタン
４０３       コンテンツチャネル作成ボタン
４０４       左ボタン
４０５       右ボタン
４０６       上ボタン
４０７       決定ボタン
４０８       下ボタン
４０９       取消ボタン
４１０       電子番組表表示ボタン
【図１】
0005388480.tif 000002
【図２】
0005388480.tif 000003
【図３】
0005388480.tif 000004
【図４】
0005388480.tif 000005
【図５】
0005388480.tif 000006
【図６】
0005388480.tif 000007
【図７】
0005388480.tif 000008
【図８】
0005388480.tif 000009